(57)【要約】【課題】  例えば原稿を読み取って、その画像データをメモリに記憶させたい場合、一々原稿の読み取りに必要な準備のための操作を行う必要があった。【解決手段】  装着された記憶媒体にデータが記憶されているかを判断し、データが記憶されていないと判断すると、自動的にスキャナによる原稿の読取り処理に移行する。【選択図】  図３
2008227755.tif 000002
【特許請求の範囲】
【請求項１】
少なくとも複写機能、印刷機能を有する多機能処理装置であって、
原稿を読み取って画像データを生成する画像読み取り手段と、
記憶媒体を着脱可能で、装着された記憶媒体にアクセス可能なインターフェース手段と、
画像を印刷する印刷手段と、
前記インターフェース手段に装着された記憶媒体にデータが記憶されているかを判断し、データが記憶されていないと判断すると、前記画像読み取り手段による原稿の読取り処理に移行するように制御する制御手段と、
を有することを特徴とする多機能処理装置。
【請求項２】
前記制御手段は、前記画像読み取り手段の原稿台に原稿が置かれて、当該原稿を読取り可能になっていることを条件に、前記画像読み取り手段による原稿の読取り処理に移行するように制御することを特徴とする請求項１に記載の多機能処理装置。
【請求項３】
前記制御手段は、前記インターフェース手段に装着された前記記憶媒体が前記多機能処理装置に登録されていることを条件に、前記画像読み取り手段による原稿の読取り処理に移行するように制御することを特徴とする請求項１に記載の多機能処理装置。
【請求項４】
前記制御手段は更に、前記インターフェース手段に装着された前記記憶媒体が書き込み可能であることを条件に前記画像読み取り手段による原稿の読取り処理に移行するように制御することを特徴とする請求項２又は３に記載の多機能処理装置。
【請求項５】
前記画像読み取り手段で生成した画像データを前記記憶媒体に記憶する記憶制御手段を更に有することを特徴とする請求項１乃至３のいずれか１項に記載の多機能処理装置。
【請求項６】
前記原稿の読取り処理では、前記画像読み取り手段で読取る解像度の選択、及び、読取り処理の開始指示を行うための画面を操作部に表示することを特徴とする請求項４に記載の多機能処理装置。
【請求項７】
前記制御手段は、前記インターフェース手段に装着された記憶媒体に印刷用データが記憶されていると判断すると、前記記憶媒体に記憶されている印刷用データを前記印刷手段により印刷させる印刷処理に移行することを特徴とする請求項１乃至６のいずれか１項に記載の多機能処理装置。
【請求項８】
前記印刷処理では、前記印刷手段で印刷される画像データの選択、及び、前記印刷処理における印刷モードの選択画面を操作部に表示することを特徴とする請求項７に記載の多機能処理装置。
【請求項９】
少なくとも複写機能、印刷機能を有する多機能処理装置の制御方法であって、
原稿を読み取って画像データを生成する画像読み取り工程と、
画像を印刷する印刷工程と、
装着された記憶媒体にデータが記憶されているかを判断し、データが記憶されていないと判断すると、前記画像読み取り工程による原稿の読取り処理に移行するように制御する制御工程と、
を有することを特徴とする多機能処理装置の制御方法。
【請求項１０】
前記制御工程は、原稿台に原稿が置かれて、当該原稿を読取り可能になっていることを条件に、前記画像読み取り工程による原稿の読取り処理に移行するように制御することを特徴とする請求項９に記載の多機能処理装置の制御方法。
【請求項１１】
前記制御工程は、前記装着された前記記憶媒体が前記多機能処理装置に登録されていることを条件に、前記画像読み取り工程による原稿の読取り処理に移行するように制御することを特徴とする請求項９に記載の多機能処理装置の制御方法。
【請求項１２】
前記制御工程は更に、前記装着された前記記憶媒体が書き込み可能であることを条件に前記画像読み取り工程による原稿の読取り処理に移行するように制御することを特徴とする請求項１０又は１１に記載の多機能処理装置の制御方法。
【請求項１３】
前記画像読み取り工程で生成した画像データを前記記憶媒体に記憶する記憶制御工程を更に有することを特徴とする請求項９乃至１２のいずれか１項に記載の多機能処理装置の制御方法。
【請求項１４】
前記原稿の読取り処理では、前記画像読み取り工程で読取る解像度の選択、及び、読取り処理の開始指示を行うための画面を操作部に表示することを特徴とする請求項１１に記載の多機能処理装置の制御方法。
【請求項１５】
前記制御工程は、前記装着された記憶媒体に印刷用データが記憶されていると判断すると、前記記憶媒体に記憶されている印刷用データを前記印刷工程により印刷させる印刷処理に移行することを特徴とする請求項９乃至１４のいずれか１項に記載の多機能処理装置の制御方法。
【請求項１６】
前記印刷処理では、前記印刷工程で印刷される画像データの選択、及び、前記印刷処理における印刷モードの選択画面を操作部に表示することを特徴とする請求項１５に記載の多機能処理装置の制御方法。
【発明の詳細な説明】
【技術分野】
【０００１】
本発明は、少なくとも複写機能、印刷機能を有する多機能処理装置及びその制御方法に関するものである。
【背景技術】
【０００２】
近年、ＰＣ等のＵＳＢバスに接続して大容量のデータを記憶できるＵＳＢメモリが広く使用されている。そして、このようなＵＳＢメモリを接続できる接続部を備えた複写機も出現している。この複写機では、スキャナで読み取った画像データをＵＳＢメモリに保存したり、またＵＳＢメモリに蓄積されている画像データ読み出して印刷することができる。
【０００３】
特許文献１には、このような着脱可能なメモリに、画像データとその画像データを印刷するための出力情報を予め記憶しておき、そのメモリが複写機に接続されると、その画像データを読み出して、その出力情報に従って印刷することが記載されている。
【特許文献１】特開平９−９３３７６号公報
【発明の開示】
【発明が解決しようとする課題】
【０００４】
しかしながら、ユーザがメモリを複写機に装着したとき、そのユーザの目的が、そのメモリに保持されている画像データを印刷しようとしているのか、その複写機で原稿を読み取って、そのメモリに記憶しようとしているのか分からなかった。そのため、例えば原稿を読み取って、その画像データをメモリに記憶させたい場合には、一々原稿の読み取りに必要な準備のための操作を行う必要があった。
【０００５】
本発明の目的は上記従来技術の問題点を解決することにある。
【０００６】
本願発明の特徴は、装着されたメモリの内容に応じて、自動的に動作モードを設定できる多機能処理装置及びその制御方法を提供することにある。
【０００７】
更に本願発明の特徴は、装着されたメモリの内容及び装置の状態に応じて、自動的に動作モードを設定できる多機能処理装置及びその制御方法を提供することにある。
【課題を解決するための手段】
【０００８】
上記目的を達成するために本発明の一態様に係る多機能処理装置は以下のような構成を備える。即ち、
少なくとも複写機能、印刷機能を有する多機能処理装置であって、
原稿を読み取って画像データを生成する画像読み取り手段と、
記憶媒体を着脱可能で、装着された記憶媒体にアクセス可能なインターフェース手段と、
画像を印刷する印刷手段と、
前記インターフェース手段に装着された記憶媒体にデータが記憶されているかを判断し、データが記憶されていないと判断すると、前記画像読み取り手段による原稿の読取り処理に移行するように制御する制御手段と、
を有することを特徴とする。
【０００９】
上記目的を達成するために本発明の一態様に係る多機能処理装置の制御方法は以下のような工程を備える。即ち、
少なくとも複写機能、印刷機能を有する多機能処理装置の制御方法であって、
原稿を読み取って画像データを生成する画像読み取り工程と、
画像を印刷する印刷工程と、
装着された記憶媒体にデータが記憶されているかを判断し、データが記憶されていないと判断すると、前記画像読み取り工程による原稿の読取り処理に移行するように制御する制御工程と、
を有することを特徴とする。
【発明の効果】
【００１０】
本発明によれば、装着されたメモリの内容に応じて、自動的に動作モードを設定できるという効果がある。
【発明を実施するための最良の形態】
【００１１】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１２】
図１は、本発明の実施の形態に係る複合機（多機能処理装置）の構成を示すブロック図である。この複合機は、複写機能、印刷機能、ファクシミリ機能、ボックス機能などを有している。
【００１３】
同図において、ＣＰＵ１０１は、この複合機全体の動作を制御している。ＲＯＭ１０２は、ＣＰＵ１０１により実行される制御プログラムや各種データを記憶している。ＲＡＭ１０３は例えばＳＲＡＭ等で構成され、ＣＰＵ１０１による制御処理時に各種データを保存するワークエリアを提供しており、プログラム制御変数等や各種設定値、この複合機の管理データ類、各種ワーク用バッファ等も記憶している。蓄積メモリ１０４は、例えばＤＲＡＭ等で構成されて、画像データを蓄積する。表示部１０５は、ＬＣＤ及びＬＥＤを有し、ユーザに対するメッセージや各種ステータスなどを、ユーザに通知するのに使用される。スピーカ１０６は、音声によってユーザに通知や警告を行うのに使用される。ＵＳＢインターフェース１０７（USB2.0device）やＵＳＢインターフェース１０８（USB1.1hostは、各種ＵＳＢ機器やＰＣとの接続や通信を行うためのＵＳＢインターフェースである。これらＵＳＢインターフェース１０７，１０８は、そこに接続されたＵＳＢメモリにアクセスし、そのＵＳＢメモリに記憶されているデータの読出し、及びそのメモリへのデータの格納を可能（アクセス可能）にしている。画像処理部１１２は、スキャナ１１３で読取られた画像データに対して色変換処理や各種画像補正処理を施す。スキャナ１１３は、ＣＳイメージセンサ、原稿搬送機構等を有し、原稿を光学的に読み取って電気的な画像データを生成している。センサ１１６は、原稿台に原稿が読取り可能にセットされているか否かを検出する原稿検知センサである。操作部１１４は、キーボード、タッチパネル等を有し、オペレータが各種操作指示やデータの入力操作を行うのに使用される。プリンタフォーマッタ部１０９は、各種ファイルデータの印刷を行なう際に、そのファイルデータを解析し、印刷可能なデータに変換する。プリンタ１１１は、プリンタフォーマッタ部１０９で変換された印刷データに従って記録紙に画像を印刷する。１１５は、上述のＵＳＢインターフェース１０７，１０８に接続されるＵＳＢメモリを示している。
【００１４】
尚、表示部１０５の表示内容は、操作部１１４のタッチパネルに表示されても良い。この場合は、表示部１０５は、ＬＣＤ以外のＬＥＤを含んでも良い。
【００１５】
図２は、本実施の形態に係る複合機にＵＳＢメモリが接続された場合の表示部１０５の表示例を説明する図である。
【００１６】
図において、２０１は、ファクシミリモードでのスタンバイ時における表示部１０５への表示画面例を示す。２０２は、２０１の状態で、ＵＳＢメモリ１１５が装着された場合の表示部１０５への選択画面の一例を示している。
【００１７】
また２０３は、Ａ４の原稿を読取って等倍でコピーするコピーモードでのスタンバイ時における表示部１０５への表示画面例を示す。２０４は、２０２の状態で、ＵＳＢメモリ１１５が装着された場合の表示部１０５への選択画面の一例を示している。
【００１８】
［実施の形態１］
図３は、本発明の実施の形態１に係る複合機による制御処理を説明するフローチャートで、この処理を実行するプログラムはＲＯＭ１０２に記憶されており、ＣＰＵ１０１の制御の下に実行される。この処理は、データが記憶されていない空のＵＳＢメモリが装着されると、自動的にスキャナ１１３による原稿の読取り処理に移行し、スキャナ１１３で読取った画像データを、その装着されたＵＳＢメモリ１１５に格納する処理を示している。
【００１９】
スタンバイ状態でＵＳＢメモリ１１５がＵＳＢインターフェース１０７或は１０８に装着されるとステップＳ１からステップＳ２に進む。ステップＳ２では、その装着されたＵＳＢメモリ１１５に何等かのデータが記憶されているかを判定する。何等かのデータが記憶されていれば、そのデータを印刷する可能性があるため、例えば図４のステップＳ１２に進む。但し、この場合は、図４のステップＳ１２だけでなく、或は図５のステップＳ２２、図６のステップＳ３２に進んでも良い。
【００２０】
一方、ステップＳ２で、そのＵＳＢメモリ１１５にデータが全く記憶されていないときはステップＳ３に進み、表示部１０５にスキャナ１１３による原稿の読取り指示の受付け画面を表示する。次にステップＳ４に進み、操作部１１４を使用して入力されるユーザによる読取り設定指示を入力する。この読取り設定は、例えば原稿の読取時の解像度や濃度等の設定を含む。そしてステップＳ５に進み、スキャナ１１３による原稿の読取り開始（スキャンスタート）指示の入力を待つ。このときの表示部１０５の表示例が図２の２０２で示されている。ここで操作部１１４から、スキャンスタートが指示されるとステップＳ５からステップＳ６に進み、スキャナ１１３により原稿を読取り、その読取った画像データを画像処理部１１２により２値化、変倍処理、符号化、画像補正等の処理を行う。こうしてステップＳ７に進み、画像処理が施されたデジタル画像データを、そのＵＳＢメモリ１１５が装着されている、対応するＵＳＢインターフェースを介してＵＳＢメモリ１１５に記憶する記憶制御処理を実行する。
【００２１】
このように本実施の形態１によれば、データが記憶されていないＵＳＢメモリ１１５を装着するだけで、自動的にスキャナ１１３による原稿の読取り動作に移行できる。
【００２２】
［実施の形態２］
図４は、本発明の実施の形態２に係る複合機による制御処理を説明するフローチャートで、この処理を実行するプログラムはＲＯＭ１０２に記憶されており、ＣＰＵ１０１の制御の下に実行される。この処理では、印刷可能なデータが記憶されていないＵＳＢメモリが装着されていて、且つスキャナ１１３に原稿がセットされている場合には、自動的にスキャナ１１３による原稿の読取り処理に移行する。そしてスキャナ１１３で読取った画像データを、その装着されたＵＳＢメモリ１１５に格納する処理を示している。尚、この実施の形態２に係る複合機の構成は、前述の実施の形態１に係る複合機の構成と同様であるため、その説明を省略する。
【００２３】
スタンバイ状態でＵＳＢメモリ１１５がＵＳＢインターフェース１０７或は１０８に装着されるとステップＳ１１からステップＳ１２に進む。ステップＳ１２では、その装着されたＵＳＢメモリ１１５に、プリンタ１１１で印刷可能なデータが記憶されているかを判定する。印刷可能なデータが記憶されていれば、そのデータを印刷する可能性があるため、例えば図６のステップＳ３３に進む。
【００２４】
一方、ステップＳ１２で、そのＵＳＢメモリ１１５に、印刷可能なデータが記憶されていないときはステップＳ１３に進み、スキャナ１１３の原稿検知センサ１１６の状態により、原稿がセットされているかを判定する。ここで原稿がセットされていないときは、スキャナ１１３により原稿を読取る必要がないと判断してステップＳ１１に戻る。但し、この場合は、表示部１０５にスキャナ１１３に原稿がセットされていない旨を表示して、ユーザによりスキャナ１１３に原稿がセットされるか、或はＵＳＢメモリが着脱されるのを待機しても良い。
【００２５】
ステップＳ１３で、スキャナ１１３に原稿があると判断するとステップＳ１４に進み、表示部１０５にスキャナ１１３による原稿の読取り指示の受付け画面を表示する。次にステップＳ１５に進み、操作部１１４を使用して入力されるユーザによる読取り設定指示を入力する。この読取り設定は、例えば原稿の読取時の解像度や濃度等の設定を含む。そしてステップＳ１６に進み、スキャナ１１３による原稿の読取り開始（スキャンスタート）指示の入力を待つ。このときの表示部１０５の表示例が図２の２０２で示されている。ここで操作部１１４から、スキャンスタートが指示されるとステップＳ１６からステップＳ１７に進み、スキャナ１１３により原稿を読取り、その読取った画像データを画像処理部１１２により２値化、変倍処理、符号化、画像補正等の処理を行う。こうして画像処理が施されたデジタル画像データを、そのＵＳＢメモリ１１５が装着されている、対応するＵＳＢインターフェースを介してＵＳＢメモリ１１５に記憶する（ステップＳ１８）。
【００２６】
このように本実施の形態２によれば、スキャナに原稿をセットした状態で、印刷可能なデータが記憶されていないＵＳＢメモリ１１５を装着するだけで、自動的にスキャナ１１３による原稿の読取り動作に移行できる。
【００２７】
［実施の形態３］
図５は、本発明の実施の形態３に係る複合機による制御処理を説明するフローチャートで、この処理を実行するプログラムはＲＯＭ１０２に記憶されており、ＣＰＵ１０１の制御の下に実行される。この処理は、登録済のメモリであって、書き込み可能で、且つ印刷可能なデータが記憶されていないＵＳＢメモリが装着されると、自動的にスキャナ１１３による原稿の読取り処理に移行する。そしてスキャナ１１３で読取った画像データを、その装着されたＵＳＢメモリ１１５に格納する処理を示している。尚、この実施の形態３に係る複合機の構成は、前述の実施の形態１に係る複合機の構成と同様であるため、その説明を省略する。
【００２８】
スタンバイ状態でＵＳＢメモリ１１５がＵＳＢインターフェース１０７或は１０８に装着されるとステップＳ２１からステップＳ２２に進む。ステップＳ２２では、その装着されたＵＳＢメモリ１１５が書き込み可能かどうかを判断する。書き込み可能であればステップＳ２３に進み、そのＵＳＢメモリ１１５は、この複合機に登録済のメモリであるかを判断する。この複合機に登録されているかどうかは、ＲＯＭ１０２或はＲＡＭ１０３の不揮発に記憶する領域に記憶されているメモリの登録ＩＤと一致しているか否かにより判断される。ここで登録されていないと判断するとステップＳ２１の状態に戻る。
【００２９】
ステップＳ２３で、登録済のメモリであると判断するとステップＳ２４に進み、その装着されたＵＳＢメモリ１１５に、プリンタ１１１で印刷可能な印刷用データが記憶されているかを判定する。印刷用データが記憶されていれば、そのデータを印刷する可能性があるため、例えば図６のステップＳ３３に進む。
【００３０】
一方、ステップＳ２４で、そのＵＳＢメモリ１１５に、印刷用データが記憶されていないときはステップＳ２５に進み、スキャナ１１３の原稿検知センサ１１６の状態により、原稿がセットされているかを判定する。ここで原稿がセットされていないときは、スキャナ１１３により原稿を読取る必要がないと判断してステップＳ２１に戻る。但し、この場合は、表示部１０５にスキャナ１１３に原稿がセットされていない旨を表示して、ユーザによりスキャナ１１３に原稿がセットされるか、或はＵＳＢメモリが着脱されるのを待機しても良い。
【００３１】
ステップＳ２５で、スキャナ１１３に原稿があると判断するとステップＳ２６に進み、操作部１１４を使用して入力されるユーザによる読取り設定指示に従ってスキャナ１１３により原稿を読取る。そして、その読取った画像データを画像処理部１１２により２値化、変倍処理、符号化、画像補正等の処理を行う。こうして画像処理が施されたデジタル画像データを、そのＵＳＢメモリ１１５が装着されている、対応するＵＳＢインターフェースを介してＵＳＢメモリ１１５に記憶する（ステップＳ２７）。
【００３２】
またステップＳ２２で、その装着されたＵＳＢメモリ１１５が書き込み可能でないときはステップＳ２８に進み、そのＵＳＢメモリ１１５に印刷可能なデータが記憶されているかを判断する。ここで印刷可能なデータが記憶されていると判断すると図６のステップＳ３３に進み、印刷処理に移行する。
【００３３】
このように本実施の形態３によれば、スキャナに原稿をセットした状態で、登録済で、かつ印刷可能なデータが記憶されていない、データの書き込みが可能なＵＳＢメモリ１１５を装着するだけで、自動的にスキャナ１１３による原稿の読取り動作に移行できる。
【００３４】
尚、図５のフローチャートでは、図３や図４におけるステップＳ３〜Ｓ５（ステップＳ１４〜Ｓ１６）の処理を省略して示しているが、図５のステップＳ２５とＳ２６との間に、これらの処理を実行しても良いことはもちろんである。
【００３５】
［実施の形態４］
図６は、本発明の実施の形態４に係る複合機による制御処理を説明するフローチャートで、この処理を実行するプログラムはＲＯＭ１０２に記憶されており、ＣＰＵ１０１の制御の下に実行される。この処理は、装着されたＵＳＢメモリ１１５に印刷可能なデータが記憶されていると、自動的に印刷画面を表示して、ユーザによる印刷対象の画像データの選択及び印刷設定を可能にして印刷を行う場合を示している。尚、この実施の形態４に係る複合機の構成は、前述の実施の形態１に係る複合機の構成と同様であるため、その説明を省略する。
【００３６】
スタンバイ状態でＵＳＢメモリ１１５がＵＳＢインターフェース１０７或は１０８に装着されるとステップＳ３１からステップＳ３２に進む。ステップＳ３２では、その装着されたＵＳＢメモリ１１５に、印刷可能なデータが記憶されているかどうかを判断する。印刷可能なデータが記憶されていないときは、図３のステップＳ３，図４のステップＳ１３、或は図５のステップＳ２５に進んでも良い。
【００３７】
一方、ステップＳ３２で、印刷可能なデータが記憶されているときはステップＳ３３に進み、表示部１０５にプリント受付画面を表示する。
【００３８】
この場合は、図２の２０４で示すように、印刷対象のファイルの選択を指示する印刷モードでの選択画面が表示部１０５に表示される。
【００３９】
次にステップＳ３４に進み、ユーザが操作部１１４を使用して、印刷に関する各種設定及び印刷したいデータが選択されるのを待つ。そしてステップＳ３５で、操作部１１４により、印刷開始の指示がユーザによりなされるとステップＳ３６に進み、プリンタフォーマッタ部１０９が、その選択されたデータをプリンタ１１１が印刷可能なデータに変換して印刷処理を実行する。
【００４０】
尚、上記実施の形態１〜４のうち適宜各実施の形態を組み合わせても良い。例えば、図３のステップＳ３の前にステップＳ１３の判定処理を行なっても良い。また更に、このステップＳ１３に加えて、図５のステップＳ２２、ステップＳ２３の処理を追加しても良い。
【００４１】
また図６のステップＳ３３のプリント受付け画面の表示の前に、図５のステップＳ２３の登録済かどうかの判定処理を実行し、登録済の場合にステップＳ３３に進むようにしても良い。
【００４２】
（他の実施形態）
以上、本発明の実施形態について詳述したが、本発明は、複数の機器から構成されるシステムに適用しても良いし、また一つの機器からなる装置に適用しても良い。
【００４３】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００４４】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００４５】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００４６】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００４７】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００４８】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００４９】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００５０】
【図１】本発明の実施の形態に係る複合機の構成を示すブロック図である。
【図２】本実施の形態に係る複合機にＵＳＢメモリが接続された場合の表示部の表示例を説明する図である。
【図３】本発明の実施の形態１に係る複合機による制御処理を説明するフローチャートである。
【図４】本発明の実施の形態２に係る複合機による制御処理を説明するフローチャートである。
【図５】本発明の実施の形態３に係る複合機による制御処理を説明するフローチャートである。
【図６】本発明の実施の形態４に係る複合機による制御処理を説明するフローチャートである。
【図１】
2008227755.tif 000003
【図２】
2008227755.tif 000004
【図３】
2008227755.tif 000005
【図４】
2008227755.tif 000006
【図５】
2008227755.tif 000007
【図６】
2008227755.tif 000008